(57)【特許請求の範囲】
【請求項１】
シート搬送手段の搬送ローラ対により搬送されるシートの所定位置に穿孔処理するシート穿孔装置において、
シートの搬送方向に対して上流側搬送ローラ対と下流側搬送ローラ対との間に穿孔手段を配置し、穿孔処理に際して、停止させた前記下流側搬送ローラ対にシートの先端部を当接させた後に、前記上流側搬送ローラ対はシートの後端部を搬送した時点で作動を停止させ、シートの後端部を前記上流側搬送ローラ対に当接させることにより、前記上流側搬送ローラ対と前記下流側搬送ローラ対との間でシートの剛性によりシートを湾曲させた状態を保持し、その後、穿孔手段によりシートに対して穿孔処理することを特徴とするシート穿孔装置。
【請求項２】
シート搬送手段により搬送されるシートの所定位置に穿孔処理するシート穿孔装置において、
パンチとダイスと駆動手段とを有しシートの所定位置に穿孔処理するシート穿孔手段と、前記シート穿孔手段の穿孔位置よりシート搬送方向上流側に配置され駆動回転可能な１対の上流側搬送ローラ対と、前記上流側搬送ローラ対を間欠駆動させる上流側クラッチと、前記穿孔位置よりシート搬送方向下流側に配置され駆動回転可能な１対の下流側搬送ローラ対と、前記下流側搬送ローラ対を間欠駆動させる下流側クラッチと、前記上流側搬送ローラ対よりもシート搬送方向上流側に配置されシート後端の通過を検知するシート後端検知センサと、前記シート後端検知センサのシート通過検知情報に基づき前記上流側クラッチと前記下流側クラッチを選択的に制御すると共に、シート穿孔手段の作動を制御する制御手段と、を有し、前記シート後端検知センサによるシート後端通過検知後、前記制御手段は、シート後端が前記上流側搬送ローラ対のニップ位置を通過する前に、前記下流側クラッチを遮断して、前記下流側搬送ローラ対の回転を停止させ、前記シート後端が前記上流側搬送ローラ対のニップ位置を通過する時点に、前記上流側クラッチを遮断して、前記上流側搬送ローラ対の回転を停止させることにより、前記下流側搬送ローラ対にシートの先端部を当接させると共に、シートの後端部を前記上流側搬送ローラ対に当接させ、前記上流側搬送ローラ対と前記下流側搬送ローラ対との間でシートの剛性によりシートを湾曲させた状態を保持し、その後、前記シート穿孔手段を作動させて穿孔処理することを特徴とするシート穿孔装置。
【発明の詳細な説明】
【０００１】
【発明の属する技術分野】
本発明は、複写機、プリンタ、ファクシミリ、これらの複合機等の画像形成装置により画像が記録されたシートに対して、ファイルに綴じ込むための綴じ孔等を穿孔するシート穿孔装置及びシート束にステープル綴じ処理や折り処理等の後処理を行うシート後処理装置及びシート後処理装置を備えた画像形成装置に関するものである。
【０００２】
【従来の技術】
複写機、プリンタ等の画像形成装置により画像を記録されたシートに対し、その後のファイリングやデータ処理等に利用する孔を自動的に穿孔可能とするシート穿孔装置がある。
【０００３】
このシート穿孔装置は、例えば、特開平６−１８２６９７号公報に記載されているように、画像形成装置から排出されるシートを仕分け処理するソータのシート搬送経路の途中に備えられている。
【０００４】
特開平８−３１９０５４号公報に記載された製本装置には、複写機の排出部から排出される複数枚のシートをスタックした状態でステープル処理する製本装置のシート搬送経路の途中に、シートの紐綴じ用孔を形成するためのパンチ手段が備えられている。
【０００５】
また、複数枚で１セットになるシート束に対して端綴じ処理、中綴じ処理を行うシート後処理装置として、従来、特開昭６１−１３９４９５号、特開平２−１４４３７０号各公報が知られている。
【０００６】
【発明が解決しようとする課題】
しかしながら、前述の従来のシート穿孔装置では、シート停止基準部を有しないから、シート搬送方向の先端部又は後端部から穿孔位置までの距離が安定せず、ばらつきが発生するという問題がある。
【０００７】
特に、穿孔処理後のシートに、ステープル処理を行う場合には、穿孔位置の不揃いは、シート束の仕上がり品質を低下させる。
【０００８】
本発明は、シート搬送方向の先端部又は後端部から穿孔位置までの距離精度を向上させ、シート同士の穿孔位置を揃え、シート束の仕上がり品質を向上させることを目的とする。
【０００９】
【課題を解決するための手段】
上記課題を解決する本発明のシート穿孔装置は、シート搬送手段の搬送ローラ対により搬送されるシートの所定位置に穿孔処理するシート穿孔装置において、シートの搬送方向に対して上流側搬送ローラ対と下流側搬送ローラ対との間に穿孔手段を配置し、穿孔処理に際して、停止させた前記下流側搬送ローラ対にシートの先端部を当接させた後に、前記上流側搬送ローラ対はシートの後端部を搬送した時点で作動を停止させ、シートの後端部を前記上流側搬送ローラ対に当接させることにより、前記上流側搬送ローラ対と前記下流側搬送ローラ対との間でシートの剛性によりシートを湾曲させた状態を保持し、その後、穿孔手段によりシートに対して穿孔処理することを特徴とするものである（請求項１）。
【００１０】
また、本発明のシート穿孔装置は、シート搬送手段により搬送されるシートの所定位置に穿孔処理するシート穿孔装置において、パンチとダイスと駆動手段とを有しシートの所定位置に穿孔処理するシート穿孔手段と、前記シート穿孔手段の穿孔位置よりシート搬送方向上流側に配置され駆動回転可能な１対の上流側搬送ローラ対と、前記上流側搬送ローラ対を間欠駆動させる上流側クラッチと、前記穿孔位置よりシート搬送方向下流側に配置され駆動回転可能な１対の下流側搬送ローラ対と、前記下流側搬送ローラ対を間欠駆動させる下流側クラッチと、前記上流側搬送ローラ対よりもシート搬送方向上流側に配置されシート後端の通過を検知するシート後端検知センサと、前記シート後端検知センサのシート通過検知情報に基づき前記上流側クラッチと前記下流側クラッチを選択的に制御すると共に、シート穿孔手段の作動を制御する制御手段と、を有し、前記シート後端検知センサによるシート後端通過検知後、前記制御手段は、シート後端が前記上流側搬送ローラ対のニップ位置を通過する前に、前記下流側クラッチを遮断して、前記下流側搬送ローラ対の回転を停止させ、前記シート後端が前記上流側搬送ローラ対のニップ位置を通過する時点に、前記上流側クラッチを遮断して、前記上流側搬送ローラ対の回転を停止させることにより、前記下流側搬送ローラ対にシートの先端部を当接させると共に、シートの後端部を前記上流側搬送ローラ対に当接させ、前記上流側搬送ローラ対と前記下流側搬送ローラ対との間でシートの剛性によりシートを湾曲させた状態を保持し、その後、前記シート穿孔手段を作動させて穿孔処理することを特徴とするものである（請求項２）。
【００１３】
【発明の実施の形態】
次に、本発明のシート穿孔装置、シート後処理装置及びシート後処理装置を備えた画像形成装置を添付図面に基づいて説明する。
【００１４】
図１は画像形成装置Ａ、シート穿孔装置Ｂ、シート後処理装置（フィニッシャ）ＦＳ及び自動原稿送り装置ＤＦを備えた画像形成システムの全体構成図である。
【００１５】
図示の画像形成装置Ａは、画像読み取り部１、画像処理部２、画像書き込み部３、画像形成部４、カセット給紙部５、大容量給紙部（ＬＣＴ）６、定着装置７、排紙部８、自動両面コピー給紙部（ＡＤＵ）９を備えている。
【００１６】
画像形成装置Ａの上部には、自動原稿送り装置ＤＦが搭載されている。画像形成装置Ａの図示の左側面の排紙部８側には、シート穿孔装置Ｂを備えたシート後処理装置（フィニッシャ）ＦＳが連結されている。
【００１７】
自動原稿送り装置ＤＦの原稿台上に載置された原稿ｄは矢印方向に搬送され画像読み取り部１の光学系により原稿の片面又は両面の画像が読みとられ、ＣＣＤイメージセンサ１Ａに読み込まれる。
【００１８】
ＣＣＤイメージセンサ１Ａにより光電変換されたアナログ信号は、画像処理部２において、アナログ処理、Ａ／Ｄ変換、シェーディング補正、画像圧縮処理等を行った後、画像書き込み部３に信号を送る。
【００１９】
画像書き込み部３においては、半導体レーザからの出力光が画像形成部４の感光体ドラムに照射され、潜像を形成する。画像形成部４においては、帯電、露光、現像、転写、分離、クリーニング等の処理が行われ、カセット給紙部５又は大容量給紙部６から搬送された記録紙（シート）Ｓに画像が転写される。画像を担持した記録紙Ｓは、定着装置７により定着され、排紙部８からシート後処理装置ＦＳに送り込まれる。或いは搬送路切り替え板８Ａにより自動両面コピー給紙部９に送り込まれた片面画像処理済みの記録紙Ｓは再び画像形成部４において、両面画像処理後、排紙部８からシート穿孔装置Ｂに送り込まれる。
【００２０】
シート穿孔装置Ｂは、図３及び図４に示すように、シートの側端部から所定距離位置にファイル綴じ用の複数個の孔を穿孔するもので、図５において詳述する。
【００２１】
シート穿孔装置Ｂのシート搬送方向上流側には、シートＺ折り装置Ｃが配置されている。シートＺ折り装置Ｃは、複数の折りローラにより、シートＳを二度折りしてつづら状のＺ字型に折り畳み、図４に示すように形成する。
【００２２】
シート後処理装置ＦＳには、図示の上段から、固定排紙皿８１、表紙給紙手段４０、シフト処理搬送部（大容量排紙搬送部）２０、第１積載部３０、ステープル手段５０、折り手段６０が、ほぼ垂直方向に縦列配置されている。
【００２３】
シート後処理装置ＦＳの図示右上方には入口搬送部１０が配置されている。また、シート後処理装置ＦＳの図示左側面には、端綴じ及びシフト処理済みのシートを積載する昇降排紙皿８２と、中綴じ及び折り処理済みのシートを積載する固定排紙皿８３とが配置されている。
【００２４】
図２は、シート後処理装置ＦＳのシート搬送経路を示す模式図である。
【００２５】
シート後処理装置ＦＳはシート穿孔装置Ｂから搬出された記録紙Ｓの受け入れ部１１がシート穿孔装置Ｂの排紙部と合致するよう位置と高さを調節して設置されている。
【００２６】
受け入れ部１１の入口部ローラ対１２のシート搬送下流に接続する記録紙Ｓの搬送路は、上段の第１搬送路▲１▼と中段の第２搬送路▲２▼および下段の第３搬送路▲３▼の３系統に分岐されていて、切り替えゲートＧ１、Ｇ２の占める角度の選択により記録紙Ｓが何れかの搬送路に給送されるようになっている。
【００２７】
（１）第１搬送路▲１▼（ノンステープル、ノンソートモード、装置上部の固定排紙皿８１に排紙）
シート穿孔装置Ｂから排出された画像形成済みの記録紙Ｓは、受け入れ部１１に導入され、入口部ローラ対１２により搬送されて、入り口通過センサＰＳ１により記録紙の搬送方向長さが検知される。記録紙Ｓは上方の第１の切り替えゲートＧ１の右方の通路１３を通過して、上方の搬送ローラ対１４及び搬送ローラ対１５に挟持されて上昇搬送され、更に排出ローラ対１６に挟持されて機外上部の固定排紙皿８１上に排出され、順次積載される。
【００２８】
このシート搬送過程では、切り替えゲートＧ１はソレノイドＳＤ１の駆動により揺動され、通路１７を閉止し、通路１３を開放状態にして、記録紙Ｓの固定排紙皿８１への通過を可能にする。
【００２９】
（２）第２搬送路▲２▼（シフト処理モード又はノンソートモード、昇降排紙皿８２に排紙）
この搬送モードに設定されると、切り替えゲートＧ１はソレノイドＳＤ１がオフの状態で、通路１３を閉止し、通路１７を開放状態に保持し、記録紙Ｓの通路１７の通過を可能にする。
【００３０】
シート穿孔装置Ｂから排出された画像形成済みの記録紙Ｓは、受け入れ部１１、入口部ローラ対１２を通過し、切り替えゲートＧ１の下方に開放状態に形成された通路１７を通過して、搬送ローラ対１８に挟持されて、第２搬送路▲２▼である斜め下方の第２の切り替えゲートＧ２の上方の通路２１を通過して、搬送ローラ対２２に挟持され、通路２３を経て、シフト手段７０、シフトローラ対２４に挟持され、排出ローラ対２６により機外の昇降排紙皿８２上に排出される。
【００３１】
（３）第３搬送路▲３▼（端綴じ処理モード、昇降排紙皿８２に排紙）
端綴じ処理又は中綴じ処理を施すシートＳは、画像形成装置Ａ内で画像形成処理されて、シート穿孔装置Ｂを経て、シート後処理装置ＦＳの受け入れ部１１に送り込まれた画像形成済みの記録紙Ｓは、入口部ローラ対１２、第１の切り替えゲートＧ１の下方の通路１７を通過して、搬送ローラ対１８に挟持されて、第３搬送路▲３▼に搬送される。
【００３２】
第３搬送路▲３▼において、記録紙Ｓは、切り替えゲートＧ２の下方の通路３１を通過して、下流の搬送ローラ対３２により挟持、搬送される。記録紙Ｓは、更に下流の搬送ローラ対３４により挟持されて送り出されて、第１積載部３０の傾斜配置された中間スタッカ３５の上方空間に排出され、中間スタッカ３５または中間スタッカ３５上に積載された記録紙Ｓの上面に接し、滑走上昇したのち、搬送ローラ対３４から記録紙Ｓの進行方向後端部が排出されたのちには、記録紙Ｓの自重により下降に転じ、中間スタッカ３５の傾斜面上を滑落し、ステープル手段５０近傍の端綴じ用可動ストッパ部材（以下、端綴じストッパと称す）５１のシート突き当て面に記録紙Ｓの進行方向先端部が当接して停止する。
【００３３】
３６は中間スタッカ３５の両側面に移動可能に設けた一対の上流側幅整合手段である。上流側幅整合手段３６はシート搬送方向と直交する方向に移動可能であり、記録紙Ｓが中間スタッカ３５上に排出されるシート受け入れ時には、シート幅より広く開放され、中間スタッカ３５上を搬送されて、端綴じストッパ５１に当接して停止するときには、記録紙Ｓの幅方向の側縁を軽打してシート束の幅揃え（幅整合）を行う。
【００３４】
記録紙Ｓのサイズ（搬送方向の長さ）が画像形成装置の設定手段又は自動検知或いはシート後処理装置の入口搬送部１０の入口通過センサＰＳ１等による検知信号が入力されると、端綴じストッパ５１は、制御手段９０及び駆動手段により記録紙Ｓの各サイズに対応する所定位置に移動して停止する。
【００３５】
この停止位置において、中間スタッカ３５上に所定枚数の記録紙Ｓが積載、整合されると、ステープル手段５０により綴じ合わせ処理が行われ、シート束が綴じ合わされる。
【００３６】
前記中間スタッカ３５のシート積載面の一部には切り欠き部が形成されていて、駆動プーリ３７Ａと従動プーリ３７Ｂに巻回された複数の排出ベルト３８が回動可能に駆動される。排出ベルト３８の一部には、排出爪３８ａが一体に形成されていて、その先端部は、図示一点鎖線のように長円軌跡を描く。ステープル処理されたシート束は、排出ベルト３８の排出爪３８ａにより記録紙Ｓの後端部を保持されて、排出ベルト３８上に載せられ、中間スタッカ３５の載置面上を滑走して斜め上方に押し上げられ、排出ローラ対２６のニップ位置に進行する。回転する排出ローラ対２６に挟持されたシート束は、昇降排紙皿８２上に排出、積載される。
【００３７】
（４）第４搬送路▲４▼（表紙給紙モード）
表紙給紙手段４０は、表紙載置部４１と、表紙送り部４２とから構成されている。
【００３８】
表紙給紙手段４０から給紙された１枚の表紙Ｋは、通路４７を通過して、搬送ローラ対１４の他のニップ位置を通過し、通路１９、搬送ローラ対１８を通過した後、第３搬送路▲３▼の搬送ローラ対３２、通路３３、搬送ローラ対３４を経て、中間スタッカ３５上に到達する。
【００３９】
（５）第５搬送路▲５▼（中綴じ処理モード）
ステープル手段５０は、上部機構５０Ａと下部機構５０Ｂとの２分割構造に構成され、その中間に、シートＳが通過可能な通路５２を形成している。
【００４０】
ステープル手段５０は、シート搬送方向に直交する方向に２組配置され、図示しない駆動手段により、シート搬送方向に直交する方向に移動可能である。このステープル手段５０により、シート幅方向の中央振り分け２箇所にステープル針ＳＰを打つ。
【００４１】
中綴じモードに設定されると、ステープル手段５０のステープル処理位置近傍の端綴じストッパ５１が搬送路から退避し、ほぼ同時にそれより下流の中綴じ用可動ストッパ部材（以下、中綴じストッパと称す）５３が起動して、これに連動して端綴じストッパ５１が退避し、通路５２を遮断される。
【００４２】
中綴じストッパ５３は、表紙Ｋ及び記録紙Ｓのサイズ（搬送方向の長さ）が設定又は検知されると、所定位置に移動して停止する。
【００４３】
表紙Ｋが中間スタッカ３５上の所定位置に載置された後、画像形成装置Ａから搬出された記録紙Ｓが、シート穿孔装置Ｂを経てシート後処理装置ＦＳの入口搬送部１０から第３搬送路▲３▼を通過して、中間スタッカ３５上に載置された表紙Ｋの上面に順次積載され、記録紙Ｓの端部が中綴じストッパ５３に当接して位置決めされる。５６は中綴じ処理時に記録紙Ｓの幅方向を規制する下流側幅整合手段であり、前記上流側幅整合手段３６と同様に１枚の記録紙Ｓが搬入される都度、記録紙Ｓの幅方向の側端を叩いて幅整合を行う。
【００４４】
また、中綴じ処理時に、中間スタッカ３５上を搬送してステープル手段５０の上流側を進行する記録紙Ｓに対して、記録紙Ｓが中綴じストッパ５３に突き当たる頃を見計らって、上流側幅整合手段３６と下流側幅整合手段５６とを同時に作動させ、中綴じストッパ５３に向かって進行する記録紙Ｓに対して幅整合を行ってシート揃えする。
【００４５】
このようにして、中間スタッカ３５上を進行し、ステープル手段５０を中心にして上流側と下流側に亘って延長して積載される記録紙Ｓ及び表紙Ｋは、上流側幅整合手段３６と下流側幅整合手段５６とにより、記録紙Ｓの全長に亘り正確に幅整合される。
【００４６】
最終の記録紙Ｓが中間スタッカ３５上に位置決め載置された後、表紙Ｋと記録紙Ｓの全頁とから成るシート束にステープル手段５０による中綴じ処理を行う。この中綴じ処理により、表紙Ｋ及び記録紙Ｓの搬送方向の中央部にステープル針ＳＰが打ち込まれる。ステープル針ＳＰはステープル針打ち込み駆動側を有する下部機構５０Ｂから、ステープル針クリンチ側を有する上部機構５０Ａに向けて打ち込まれる。
【００４７】
（６）第６搬送路▲６▼（二つ折り処理モード）（図２参照）
中綴じ処理後、中綴じストッパ５３が揺動して、通路５２の下流の通路を開放する。中綴じ処理された表紙Ｋと記録紙Ｓから成るシート束は、湾曲した通路と中間搬送ローラ対６１を通過して斜め下方の搬送ベルト６２上をガイド板６３に案内されて搬送され、更に、第２積載部（スタック台）６４上を搬送されて、折り部可動ストッパ手段６５の折り部ストッパ６５０にシート束の搬送方向の先端部が当接して、所定位置に停止する。折り部ストッパ６５０はシートサイズの設定又は検知と駆動手段により所定位置に移動可能である。
【００４８】
停止状態のシート束の搬送方向の中央部、即ち中綴じ位置の斜め下方には、シート突き出し手段６６が設置されている。中綴じ位置の斜め上方には、折りローラ対部６７と、二つ折りシート搬送手段６８が設置されている。
【００４９】
折り手段６０は、シート突き出し手段６６、折りローラ対部６７、二つ折りシート搬送手段６８等から構成されている。
【００５０】
二つ折り開始信号により、シート突き出し手段６６の突き出し板６６１が斜め上方に直進して、突き出し板６６１の先端部は、表紙Ｋと記録紙Ｓから成るシート束の中央部を押し上げ、シート束を介して折りローラ対部６７のニップ部を押し広げて揺動、離間させる。
【００５１】
突き出し板６６１の先端部が前記ニップ部を通過後、突き出し板６６１が後退して、シート束の中央部は、折りローラ対部６７により挟圧されて、折り目が形成される。この折り目は、前述の中綴じ処理によるシート束へのステープル針の打ち込み位置と一致する。
【００５２】
折りローラ対部６７の回転する一対の第１の押圧ローラ（折りローラ）６７１により挟圧されて折り目を形成されたシート束の中央部は、一対の搬送ベルト６７２に挟持されて搬送され、一対の第２の押圧ローラ（加圧ローラ）６７６のニップ位置に送り込まれ、この位置で折り目が更にしっかり付けられ、二つ折りシート搬送手段６８に送り込まれる。
【００５３】
二つ折りシート搬送手段６８に送り込まれたシート束は、下搬送ベルト６８１と上搬送ベルト６８２との間に挟持されて搬送され、機外の固定排紙皿８３上に排出される。
【００５４】
図３はシート穿孔装置Ｂにより穿孔処理されたシートＳの各種例を示す平面図である。
【００５５】
図３（ａ）は、シートＳの２箇所に孔ｈを穿孔した例を示す（２穴ファイル）。図３（ｂ）は、シートＳの３箇所に孔ｈを穿孔した例を示す（３穴ファイル）。図３（ｃ）は、シートＳの４箇所に孔ｈを穿孔した例を示す（４穴ファイル）。これら複数の孔ｈの間隔は規格化されている。また、シートＳの端面ｃから孔ｈまでの穿孔端面距離ｅは、任意に設定できるが、一般には９〜１１ｍｍである。
【００５６】
図４（ａ）は、Ｚ折り処理と穿孔処理されたシートの平面図である。
【００５７】
シートＺ折り装置ＣによりＺ折り処理したシートＳは、後述のシート穿孔装置Ｂにより所定位置の２箇所に孔ｈが穿孔される。図示のａ，ｂは折り目を示す。
【００５８】
図４（ｂ）は、Ｚ折り処理と穿孔処理され更にステープル処理する状態を示すシート束の斜視図である。
【００５９】
Ｚ折り処理と穿孔処理されたシートＳは、シート後処理装置ＦＳ内に搬送され、ステープル手段５０によりステープル針ＳＰが打針される。
【００６０】
図５はシート穿孔装置Ｂの断面図、図６は平面図、図７は斜視図である。
【００６１】
シート穿孔装置Ｂの筐体１００内に導入されたシートＳは、上案内板１０１と下案内板１０２により形成されたシート搬送通路内を通過し、上流側搬送ローラ対１０３と、下流側搬送ローラ対１０６とに圧接、挟持されて、装置外に排出され、シート後処理装置ＦＳの入口搬送部１０に送り込まれる。
【００６２】
上流側搬送ローラ対１０３は、駆動ローラ（下ローラ）１０３Ａと従動ローラ（上ローラ）１０３Ｂとから成る。２個の駆動ローラ１０３Ａは、側板１０５に回転可能に支持された駆動回転軸１０４Ａに固定されている。
【００６３】
駆動回転軸１０４Ａの一方の軸端には、電磁クラッチＣＬ１を有する歯車ｇ１が設けてある。歯車ｇ１は図示しない駆動源に接続されている。電磁クラッチＣＬ１がオフになると、駆動源からの駆動伝達が遮断され、駆動回転軸１０４Ａの回転が停止される。
【００６４】
２個の従動ローラ１０３Ｂは、側板１０５に回転可能に支持された回転軸１０４Ｂに固定されている。回転軸１０４Ｂは図示しない付勢手段により付勢され、従動ローラ１０３Ｂを駆動ローラ１０３Ａに圧接している。
【００６５】
下流側搬送ローラ対１０６は、上流側搬送ローラ対１０３と同一構成をなし、２個の駆動ローラ（下ローラ）１０６Ａ、２個の従動ローラ（上ローラ）１０６Ｂ、駆動回転軸１０７Ａ、回転軸１０７Ｂから成る。
【００６６】
駆動回転軸１０７Ａの一方の軸端には、電磁クラッチＣＬ２を有する歯車ｇ２が設けてある。歯車ｇ２は図示しない駆動源に接続されている。電磁クラッチＣＬ２がオフになると、駆動源からの駆動伝達が遮断され、駆動回転軸１０７Ａの回転が停止される。２個の従動ローラ１０６Ｂは、従動ローラ１０３Ｂと同一構造である。
【００６７】
上流側搬送ローラ対１０３よりもシート搬送方向上流側の所定位置には、シート後端検知用センサＰＳ２が配置され、搬送通路を通過するシートＳの後端を検知して制御手段９０に信号を送る。
【００６８】
上流側搬送ローラ対１０３のシート搬送方向下流側の所定位置には、２組のシート穿孔手段１１０が配置されている。
【００６９】
シート穿孔手段１１０の上部機構は、上案内板１０１に固設されたパンチホルダー１１１と、パンチホルダー１１１の内周面に嵌合して昇降移動可能に支持されたパンチ１１２と、ダイス１１６を昇降駆動するカム１１３と、カム１１３を回転可能に支持するカム軸１１４とから構成されている。１１５は、パンチ１１２をカム１１３のカム面に付勢するバネである。
【００７０】
シート穿孔手段１１０の下部機構は、下案内板１０２に固設されたダイス１１６から成る。ダイス１１６はダイス１１６に嵌合してシートＳに孔ｈを穿孔する。
【００７１】
カム軸１１４の一方の軸端には、電磁クラッチＣＬ３を有する歯車ｇ３が設けてある。歯車ｇ３は図示しない駆動源に接続されている。電磁クラッチＣＬ３がオフになると、駆動源からの駆動伝達が遮断され、カム軸１１４の回転が停止され、パンチ１１２は上死点で停止状態となる。
【００７２】
図８は、シート穿孔装置Ｂの駆動を制御するブロック図である。
【００７３】
シート後端検知用センサＰＳ２によるシートＳの後端（端面）ｃの通過を検知した後、制御手段９０は、シートＳの後端ｃが上流側搬送ローラ対１０３のニップ位置を通過する前に、下流側の電磁クラッチＣＬ２をオフ状態にして、下流側搬送ローラ対１０６の回転を停止させ、シートＳの後端ｃが上流側搬送ローラ対１０３の挟持位置を通過する時点を予めタイマ９１により設定し、タイマ９１の設定時間経過により上流側の電磁クラッチＣＬ１をオフ状態にして、上流側搬送ローラ対１０３の回転を停止させ、シート穿孔手段１１０を作動させて穿孔処理する。
【００７４】
即ち、タイマ９１による電磁クラッチＣＬ１，ＣＬ２の時間差により、回転を停止された上流側搬送ローラ対１０３と下流側搬送ローラ対１０６との間に挟持されたシートＳの一部は、図５に示すように、上案内板１０１と、下案内板１０２とにより形成され、シート穿孔手段１１０よりも下流に設けられたシート屈曲空間部１０９により、湾曲形状を形成する。このとき、シートＳの後端ｃは、シートＳの剛性により上流側搬送ローラ対１０３のニップ位置に当接して整合状態に保持され、シートＳの後端ｃの停止位置が安定化される。
【００７５】
この停止状態のシートＳに対して、電磁クラッチＣＬ３をオンに切り替え、シート穿孔手段１１０を作動させて穿孔処理すると、シートＳの後端ｃから穿孔位置までの穿孔端面距離ｅが一定に保たれ、穿孔精度が向上する。
【００７６】
なお、本実施の形態とは逆に、シートＳの先端部を停止している下流側搬送ローラ対１０６に当接させて、シートＳの上流側に湾曲形状を形成させ、この湾曲部と、下流側搬送ローラ対１０６との間で、下流側のシート平坦部において穿孔処理するようにしてもよい。
【００７７】
【発明の効果】
以上述べたように、本発明のシート穿孔装置及びシート後処理装置により以下の効果が奏せられる。
【００７８】
（１）本発明のシート穿孔装置により、シート搬送方向の先端部又は後端部から穿孔位置までの距離精度が向上し、シート同士の穿孔位置を揃えられ、シート束の仕上がり品質を向上させることができる。
【００７９】
（２）本発明のシート穿孔装置を備えたシート後処理装置により、穿孔処理、ステープル処理されたシート束は、穿孔位置が均一に揃えられ、ステープル処理されたシート束の仕上がり品質が向上する。
【００８０】
（３）複写機、プリンタ、ファクシミリ、これらの複合機等の画像形成装置により、所望のデジタル処理が行われ、片面記録、両面記録、頁編集等の処理後、排出された記録紙は、本発明のシート穿孔装置により、穿孔処理が正確な位置に行われ、ファイル可能になる。
【図面の簡単な説明】
【図１】シート後処理装置とシート穿孔装置と自動原稿送り装置とを備えた画像形成装置の全体構成図。
【図２】シート後処理装置のシート搬送経路を示す模式図。
【図３】穿孔処理されたシートの各種例を示す平面図。
【図４】Ｚ折り処理と穿孔処理されたシートの平面図、及びＺ折り処理と穿孔処理され更にステープル処理する状態を示すシート束の斜視図。
【図５】シート穿孔装置の断面図。
【図６】シート穿孔装置の平面図。
【図７】シート穿孔装置の斜視図。
【図８】シート穿孔装置の駆動を制御するブロック図。
【符号の説明】
１０  入口搬送部
１１  受け入れ部
５０  ステープル手段
６０  折り手段
９０  制御手段
９１  タイマ
１００  筐体
１０１  上案内板
１０２  下案内板
１０３  上流側搬送ローラ対
１０３Ａ，１０６Ａ  駆動ローラ（下ローラ）
１０３Ｂ，１０６Ｂ  従動ローラ（上ローラ）
１０４Ａ，１０７Ａ  駆動回転軸
１０４Ｂ，１０７Ｂ  回転軸
１０５  側板
１０６  下流側搬送ローラ対
１０９  シート屈曲空間部
１１０  シート穿孔手段
１１１  パンチホルダー
１１２  パンチ
１１３  カム
１１４  カム軸
１１５  バネ
１１６  ダイス
Ａ  画像形成装置
Ｂ  シート穿孔装置
Ｃ  シートＺ折り装置
ＣＬ１，ＣＬ２，ＣＬ３  電磁クラッチ
ＦＳ  シート後処理装置（フィニッシャ）
ＰＳ２  シート後端検知用センサ
Ｓ  記録紙（シート、シート束）
ＳＰ  ステープル針
ｃ  端面（後端）
ｅ  穿孔端面距離
ｇ１，ｇ２，ｇ３  歯車
【図１】
0003858489.tif 000002
【図２】
0003858489.tif 000003
【図３】
0003858489.tif 000004
【図４】
0003858489.tif 000005
【図５】
0003858489.tif 000006
【図６】
0003858489.tif 000007
【図７】
0003858489.tif 000008
【図８】
0003858489.tif 000009